(57)【要約】本発明は、ネットワークを制御する方法であって、ネットワークにおける少なくとも１人の他のユーザの存在に関する情報を含む存在情報をユーザに供給し、そして他のユーザへ開始できるセッションがいかに取り扱われるかに関する情報を含むセッション取り扱い情報を供給するという段階を備えた方法を提案する。又、本発明は、それに対応するネットワーク制御装置も提案する。
2004517421.tif 000002
【特許請求の範囲】
【請求項１】
ネットワークにおける少なくとも１人の他のユーザ（Ｂ，Ｃ）の存在に関する情報を含む存在情報をユーザ（Ａ）に供給し、そして
他のユーザへ開始できるセッションがいかに取り扱われるかに関する情報を含むセッション取り扱い情報を供給する、
という段階を備えたネットワーク制御方法。
【請求項２】
上記供給段階は、他のユーザへのセッションが開始される前に実行される請求項１に記載の方法。
【請求項３】
上記セッション取り扱い情報は、セッションの転送に関する情報を含む請求項１に記載の方法。
【請求項４】
上記セッションはコールであり、そして上記セッション取り扱い情報は、コールの転送に関する情報を含む請求項１に記載の方法。
【請求項５】
上記情報供給段階は、存在及びセッション取り扱い情報を含むデータベース（Ｄｂ； ＨＳＳ）にアクセスするステップを含む請求項１に記載の方法。
【請求項６】
上記データベース（Ｄｂ）は、上記方法を実行するために専用サーバー（Ｓ）に配置される請求項５に記載の方法。
【請求項７】
上記データベースは、外部データベースである請求項５に記載の方法。
【請求項８】
上記外部データベースは、ホーム加入者サーバー（ＨＳＳ）である請求項７に記載の方法。
【請求項９】
上記外部データベースは、ホーム位置レジスタ（ＨＬＲ）である請求項７に記載の方法。
【請求項１０】
上記存在情報は、更に、ユーザの位置情報を含む請求項１に記載の方法。
【請求項１１】
上記存在情報は、更に、ユーザとどの形式の通信が可能であるかに関する情報を含む請求項１に記載の方法。
【請求項１２】
上記情報供給段階においてユーザごとに個々に情報が供給される請求項１に記載の方法。
【請求項１３】
ネットワーク制御装置において、
このネットワーク制御装置（Ｓ）は、存在情報及びセッション取り扱い情報をユーザ（Ａ）に供給するよう構成され、そして
上記存在情報は、ネットワークにおける少なくとも１人の他のユーザ（Ｂ，Ｃ）の存在に関する情報を含み、そして上記セッション取り扱い情報は、他のユーザへと開始できるセッションがいかに取り扱われるかに関する情報を含むよう構成されたネットワーク制御装置。
【請求項１４】
上記ネットワーク制御装置は、存在情報及びセッション取り扱い情報を供給するように構成された請求項１３に記載のネットワーク制御装置。
【請求項１５】
上記セッション取り扱い情報は、セッションの転送に関する情報を含む請求項１３に記載のネットワーク制御装置。
【請求項１６】
上記セッションはコールであり、そして上記セッション取り扱い情報は、コールの転送に関する情報を含む請求項１３に記載のネットワーク制御装置。
【請求項１７】
存在情報及びセッション取り扱い情報を得るための情報取得手段（Ｗ； Ｗ１）を更に備えた請求項１３に記載のネットワーク制御装置。
【請求項１８】
上記情報取得手段（Ｗ； Ｗ１）は、存在情報及びセッション取り扱い情報を含むデータベース（Ｄｂ； ＨＳＳ）にアクセスするように構成される請求項１７に記載のネットワーク制御装置。
【請求項１９】
上記データベース（Ｄｂ）は、ネットワーク制御装置（Ｓ）に配置される請求項１８に記載のネットワーク制御装置。
【請求項２０】
上記データベースは、外部データベースである請求項１８に記載のネットワーク制御装置。
【請求項２１】
上記データベースは、ホーム加入者サーバー（ＨＳＳ）である請求項２０に記載のネットワーク制御装置。
【請求項２２】
上記データベースは、ホーム位置レジスタ（ＨＬＲ）である請求項２０に記載のネットワーク制御装置。
【請求項２３】
上記存在情報は、更に、ユーザの位置情報を含む請求項１３に記載のネットワーク制御装置。
【請求項２４】
上記存在情報は、更に、ユーザとどの形式の通信が可能であるかに関する情報を含む請求項１３に記載のネットワーク制御装置。
【請求項２５】
上記ネットワーク制御装置は、各ユーザへ個々に情報を与えるように構成される請求項１３に記載のネットワーク制御装置。
【請求項２６】
請求項１３ないし２５のいずれかに記載のネットワーク制御装置と、存在情報及びセッション取り扱い情報を受信するよう構成された少なくとも１つの通信装置（ＴＡ）とを備えたネットワークシステム。
【発明の詳細な説明】
【０００１】
【技術分野】
本発明は、ネットワークシステムにおける他のユーザの存在等に関する情報をユーザに与えるようにネットワークを制御する方法及びネットワーク制御装置に係る。
【０００２】
【背景技術】
本発明は、一般に、セッションを開始することに係る。以下、「セッション」という語は、コール、マルチメディアビデオコール、ホワイトボードセッション、チャット、メッセージセッション、ゲームセッション等を指す。このようなセッションをスタートする場合に、ユーザは、意図されたセッションの相手に繋がるかどうか前もって分からない。
例えば、ユーザＡがユーザＢへビデオコールを開始したいとする。このため、ユーザＡは、通信の準備をし、そしてそれに対応するアプリケーションを自分のターミナル（例えば、パーソナルコンピュータ、又はＵＭＴＳ移動電話のような移動通信装置）でスタートしなければならない。この場合、ユーザＢに繋がらず（即ちオンラインでなく）そしてユーザＡの苦労が無駄に終わったときに不利益となる。
【０００３】
現在、「インスタントメッセージング・アンド・プレゼントプロトコル（ＩＭＰＰ）」では、ユーザが、セッションを開始する前に更に別の情報を得ることができる。「インスタントメッセージング」は、ユーザが、ｅ−メール等を使用せずに、他のユーザのターミナルへメッセージを直ちに転送できるようにする。それ故、このようなインスタントメッセージの意図された受信者は、オンラインでなければならない。従って、送信者（ユーザＡ）は、意図された受信者が実際にオンラインであるかどうか知る必要がある。この情報は、いわゆる「コンタクトリスト（‘バディリスト（ｂｕｄｄｙ ｌｉｓｔ）’とも称される）」によって与えられる。
【０００４】
このリストから、ユーザＡは、このようなインスタントメッセージングシステムと契約した他のユーザの存在情報や、現在状態や、位置情報等を得ることができる。
存在情報は、特定のユーザがオンラインであるかオフラインであるかを指示する。現在状態は、特定のユーザが、例えば、繋がるか、ビジーであるか、チャット及びゲームでしか繋がらずコール等では繋がらないことを更に指示する。位置情報は、アドレス、現在位置等の位置に関する情報を含む（例えば、ダウンタウン・ヘルシンキ、ハープスストリート１２、７１０６９、シンデルフィンゲン；経度ｘ、緯度ｙ、標高ｈ、等）。従って、この「インスタントメッセージング・アンド・プレゼントプロトコル（ＩＭＰＰ）」を使用することにより、ユーザは、別のユーザの存在に関する情報を得ることができる。
【０００５】
インスタントメッセージングの場合、多数の競合するプロトコル、即ち開放されたものや、所有権のあるもの（例えば、ＡＯＬインスタントメッセージング）で、パーソナルコンピュータアプリケーションに対して主として設計されたものを入手できる。
しかしながら、現在のプロトコルや、それにより得られるＩＭＰＰサービスから、ユーザ（即ちセッションのイニシエータ）は、自分のセッション開始がいかに取り扱われるか分からない。
即ち、ユーザは、コンタクトリストから、誰かがオンラインであることは分かるが、受信者が実際にコール等のセッションを受け入れる準備をしているかどうかは分からない。
【０００６】
【発明の開示】
それ故、本発明の基礎となる目的は、公知技術の上記欠点を排除し、そしてセッションを開始する前又はその間にユーザに与えられる情報を改善することである。
この目的は、ネットワークにおける少なくとも１人の他のユーザの存在に関する情報を含む存在情報をユーザに供給し、そして他のユーザへと開始できるセッションがいかに取り扱われるかに関する情報を含むセッション取り扱い情報を供給するという段階を備えたネットワーク制御方法により達成される。
【０００７】
或いは又、上記目的は、ネットワーク制御装置において、このネットワーク制御装置は、少なくとも１人の他のユーザに関する存在情報及びセッション取り扱い情報を第１ユーザに供給するよう構成され、そして上記存在情報は、ネットワークにおける他のユーザの存在に関する情報を含み、そして上記セッション取り扱い情報は、他のユーザへと開始できるセッションがいかに取り扱われるかに関する情報を含むよう構成されたネットワーク制御装置によって達成される。
【０００８】
従って、ユーザは、上記方法又はネットワーク制御装置を使用することにより別のユーザの存在に関する情報を得ることができ、そして更に、ユーザが他のユーザへのセッションをスタートする場合にはセッションがいかに取り扱われるかに関する情報を得ることができる。
従って、ユーザは、情報（即ち、存在及びセッション取り扱い情報を含む改善型コンタクトリストからの）に基づいてセッションをスタートする前に、そのセッションがいかにそしてどこで取り扱われるか予め分かる。これは、例えば、ユーザが誰かにコールし、そしてユーザがボイスメールボックスに接続されたこと又はセッションが他の誰かに転送されたことに気付かねばならない現在の「セッションを試みそしてそれがどこで終わるか見る」やり方より便利である。
【０００９】
存在情報及びセッション取り扱い情報は、他のユーザへのセッションが開始される前に供給される。従って、ユーザは、別のユーザへのセッションがいかに取り扱われるかを、そのセッションを実際のスタートする前に、予め知ることができる。
セッション取り扱い情報は、セッションの転送に関する情報を含む。従って、ユーザは、セッションを開始する前に、そのセッションが誰か他の者に転送されるか又はセッション記録システムに転送されるか知ることができる。
【００１０】
セッションは、コールであってもよく、セッション取り扱い情報は、コールの転送に関する情報を含む。従って、ユーザは、コールを開始する前に、そのコールが別のユーザへ転送されるか又はボイスメールボックスシステムへ転送されるか知ることができる。
情報は、情報取得装置によって得られる。情報は、存在及びセッション取り扱い情報を含むデータベースにアクセスすることにより得られる。
【００１１】
このようなデータベースは、専用のネットワーク制御装置に配置される。この手段により、全ての重要なデータは、ネットワーク制御装置それ自体に保持される。
データベースは、外部データベースでよい。この手段により、特定のユーザの最新の情報のみが使用されるよう確保できる。外部データベースは、例えば、ホーム加入者サーバー（ＨＳＳ）又はホーム位置レジスタ（ＨＬＲ）である。
【００１２】
存在情報は、ユーザの位置情報を更に含み、及び／又はユーザとどんな形式の通信を行えるかに関する情報も更に含む。
存在及びセッション取り扱い情報は、各ユーザに対して個々に供給される。即ち、異なるユーザが、同じユーザに関する異なる情報を得る。この手段により、サーバーの全てのユーザに全ての情報が与えられるのではないように、ある程度のプライバシーを確保することができる。
又、本発明は、上述したネットワーク制御装置と、存在及びセッション取り扱い情報を受信する少なくとも１つの通信装置とを備えたネットワークシステムも提案する。
【００１３】
【発明を実施するための最良の形態】
本発明は、添付図面を参照した以下の説明から容易に理解されよう。
以下、添付図面を参照し、本発明の好ましい実施形態を詳細に説明する。
図１は、存在及びセッション取り扱い情報のサーバーＳと、該サーバーに接続されたユーザＡないしＣの複数のターミナルＴＡないしＴＣとを備えたネットワークシステムを示す。各ターミナルとサーバーとの間、及びターミナル自体の間の接続は、任意に構成できる。即ち、ターミナルは、インターネットを経てサーバーに接続されたコンピュータでもよいし、或いは移動電話ネットワークを経てサーバーに接続された移動電話でもよい。異なる形式のターミナルをサーバーに接続するのに必要なゲートウェイ等は、説明を簡略化するために、ここでは省略する。
【００１４】
存在及びセッション取り扱い情報のサーバーＳは、改善型コンタクトリスト（「バディ（ｂｕｄｄｙ）」リストとも称される）を備えている。このリストには、サーバーに接続された各ユーザが含まれ、そしてその存在に関する情報等が含まれる。即ち、コンタクトリストは、各ユーザに対して、存在情報（オンライン／オフライン）、現在状態（繋がる、ビジー、チャットやオンラインゲームのような特定の通信のみについて繋がる、等）、位置情報、等々を指示する。
【００１５】
更に、コンタクトリストは、各ユーザに対し、そのユーザへ開始されるセッションがいかに取り扱われるかも指示する。この情報は、セッション取り扱い情報と称される。
例えば、セッションがいかに取り扱われるかの重要なことは、セッションの転送である。即ち、ユーザＡがユーザＢへのコールを希望する場合に、ユーザＡはセッション（例えば、電話コール）を、例えばその秘書に転送したことが考えられる。ユーザＡがユーザＢとプライベートに話したい場合には、コール即ちセッションを開始することが無駄になる。
【００１６】
従って、セッション取り扱い情報（上記ケースでは、転送情報）により、ユーザは、セッションを開始する前に、そのセッションが誰か他の者に転送されるか又はセッション記録システムへ転送されるか知ることができる。例えば、転送情報は、音声セッションがボイスメールボックスシステムへ転送され、一方、ファックスがファックス−ｅメールゲートウェイに転送され、そしてｅメールが秘書等に転送されることを指示することができる。
【００１７】
従って、本発明によれば、改善型コンタクトリストは、セッション取り扱い情報も含む。以下、このような改善型コンタクトリストの一例について述べる。
2004517421.tif 000003
【００１８】
図１に示すように、ユーザＡは、サーバーＳにも接続されたユーザＢ及びＣに関する情報を受信する。従って、ユーザＡは、このコンタクトリストから（即ちセッション取り扱い情報を見たときに）、セッションをスタートする価値があるかどうか予め分かる。上記の例において、ユーザＡがユーザＣと個人的に話したい場合には、そのセッションがユーザＣの妻へ転送されることが分かるので、セッションを開始しない。
従って、ユーザは、自分のコンタクトリスト（バディリスト）の情報に基づいてセッションをスタートする前に、そのセッションがどこでいかに取り扱われるか前もって分かる。
【００１９】
この（第１）実施形態によれば、必要な情報は、存在及びセッション取り扱い情報サーバーＳに保持される。即ち、サーバーＳは、存在及びセッション取り扱い情報を与える（即ち、コンタクトリストを与える）のに必要な情報が含まれたデータベースＤｂを備えている。このサーバーＳは、これに接続された各ユーザに情報を送信し、そして情報を更新する。例えば、更新は、規則的な間隔（例えば、毎分）で周期的に行うこともできるし、或いはユーザがサーバーにコンタクトするたびに非周期的に行うこともできる。
【００２０】
コンタクトリストは、ユーザごとに同じでよい（即ち、ユーザは、自分自身に関する情報も受信する）が、ユーザごとに個々に作成できることにも注意されたい。このケースが図１に示されており、この場合、ユーザは、自分自身に関する情報は受信しない。
更に、情報は、ユーザごとに異なる仕方で供給されてもよい。例えば、ユーザＣは、ユーザＡからのセッションのみを受け入れるように準備されるが、ユーザＢからのセッションは受け入れない。従って、ユーザＡの対応する存在情報は、「コールに対して繋がる」と指示するが、ユーザＢの対応する存在情報は、「コールに対して繋がらない」と指示する。
【００２１】
同様に、特定のユーザ（例えば、Ａ）からのセッションのみがユーザＣの秘書へ転送され、一方、他のユーザ（例えば、Ｂ）からのセッションは、全く転送されないか、又はユーザＣのボイスメールへ直接転送される。この手段により、ある程度のプライバシーを確保することができる。即ち、例えば、セッションが転送される個人の電話番号は、存在及びセッション取り扱い情報サーバーＳに接続された誰にでも与えられるのではない。
【００２２】
ユーザプロフィールデータベースの情報は、例えば、ウオッチャーＷを使用することにより得られる。ウオッチャーとは、ユーザに対する存在及びセッション取り扱いに関する情報を検出するクライアントである。ウオッチャー（情報取得手段）は、基本的に２つの形態で動作する。一方では、ウオッチャーは、例えば、ログイン中にユーザから特定の情報を入力することを要求する。他方では、ウオッチャーは、セッション中の変化に気付く。例えば、２０分後にユーザＡから入力が受け取られない場合には、このユーザが現在自分のターミナルＴＡを使用していないと仮定され、従って、存在情報の入手性が「繋がらない」へ切り換えられる。
【００２３】
従って、存在及びセッション取り扱い情報サーバーＳのデータベースは、ウオッチャーＷにより常に更新され、そして更新されたデータは、サーバーＳに接続されたユーザへ転送される。
第１の実施形態によれば、全ての必要な情報は、存在及びセッション取り扱い情報サーバーＳのデータベースに保持される。
しかしながら、存在及びセッション取り扱い情報に必要な情報の幾つかは、他の既存のデータベースに既に記憶されている。例えば、ＵＭＴＳ（ユニバーサル移動電話システム）では、ホーム加入者サーバー（ＨＳＳ）は、ユーザの加入者情報、ユーザの位置情報及びユーザプロフィールに関連したデータを含む。
【００２４】
従って、第２の実施形態によれば、存在及びセッション取り扱い情報サーバーは、ユーザの存在情報を補足する他のデータベースへのリンクを含む。これらのリンクは、上述したＨＳＳ、及び／又は他のユーザプロフィールデータベース、位置データベース等へのインターフェイスである。
図２には、別のデータベース、ここでは、ＨＳＳへのリンクの一例が示されている。図１に示したものと同じ又は同様の要素は、同じ参照文字で示す。
図２に示すように、ＨＳＳは、契約情報、位置情報及びユーザプロフィールを与える。サーバーＳのウオッチャーＷ１は、ＨＳＳへのリンクを確立し、そして存在及びセッション取り扱い情報サーバーに必要な情報をフェッチすることができる。
【００２５】
従って、サーバーＳと外部データベースとの間の新たなインターフェイスを、図２に示すように定義しなければならない。
ユーザが属するネットワークシステムの異なる形式に基づき複数の異なるデータベースへの多数のリンクが存在することに注意されたい。例えば、ホーム位置レジスタ（ＨＬＲ）、又はインターネットプロバイダーの主加入者データベースにコンタクトすることができる。
【００２６】
更に、上記実施形態で述べたウオッチャーは、一例に過ぎず、必要な情報を得るのに適したいかなる検出装置も使用できることに注意されたい。
更に、上述したコンタクトリストは、上記実施形態で述べた以上の項目を含んでもよい。即ち、ユーザに関する他の情報項目であって、セッションの開始に関連したもの又はそうでないもの、或いはユーザに関する付加的な情報を与えるものが含まれてもよい。
【００２７】
上記説明及び添付図面は、本発明を一例として例示するものに過ぎない。従って、特許請求の範囲内で上記実施形態を変更することができる。
特に、上記実施形態を組み合わせることもできる。即ち、全てのデータをサーバーＳのデータベースＤｂに保持する（第１の実施形態のように）が、更に、ＨＳＳのような他のデータベースへのリンクを設け（第２の実施形態のように）、それにより、サーバーＳのデータベースＤｂを更新してもよい。
【図面の簡単な説明】
【図１】
第１の実施形態による存在情報サーバー及び該サーバーに接続されたユーザターミナルを示す図である。
【図２】
第２の実施形態による存在情報サーバー及び該サーバーに接続されたユーザターミナルを示す図である。
【図１】
2004517421.tif 000004
【図２】
2004517421.tif 000005
【国際公開パンフレット】
2004517421.tif 000006
2004517421.tif 000007
2004517421.tif 000008
2004517421.tif 000009
2004517421.tif 000010
2004517421.tif 000011
2004517421.tif 000012
2004517421.tif 000013
2004517421.tif 000014
2004517421.tif 000015
2004517421.tif 000016
2004517421.tif 000017
2004517421.tif 000018
2004517421.tif 000019
2004517421.tif 000020
2004517421.tif 000021
2004517421.tif 000022
2004517421.tif 000023
2004517421.tif 000024
【手続補正書】
【提出日】平成15年3月15日(2003.3.15)
【手続補正１】
【補正対象書類名】明細書
【補正対象項目名】特許請求の範囲
【補正方法】変更
【補正の内容】
【特許請求の範囲】
【請求項１】
ネットワークにおける少なくとも１人の他のユーザ（Ｂ，Ｃ）の存在に関する情報を含む存在情報をユーザ（Ａ）に供給し、そして他のユーザへ開始できるセッションがいかに取り扱われるかに関する情報を含むセッション取り扱い情報を供給するという段階を備えたネットワーク制御方法において、
上記存在情報供給段階では、存在情報を各ユーザに対し個々に供給し、そして
上記セッション取り扱い情報供給段階では、セッション取り扱い情報を各ユーザに対し個々に供給することを特徴とする方法。
【請求項２】
上記供給段階は、他のユーザへのセッションが開始される前に実行される請求項１に記載の方法。
【請求項３】
上記セッション取り扱い情報は、セッションの転送に関する情報を含む請求項１に記載の方法。
【請求項４】
上記セッションはコールであり、そして上記セッション取り扱い情報は、コールの転送に関する情報を含む請求項１に記載の方法。
【請求項５】
上記情報供給段階は、存在及びセッション取り扱い情報を含むデータベース（Ｄｂ； ＨＳＳ）にアクセスするステップを含む請求項１に記載の方法。
【請求項６】
上記データベース（Ｄｂ）は、上記方法を実行するために専用サーバー（Ｓ）に配置される請求項５に記載の方法。
【請求項７】
上記データベースは、外部データベースである請求項５に記載の方法。
【請求項８】
上記外部データベースは、ホーム加入者サーバー（ＨＳＳ）である請求項７に記載の方法。
【請求項９】
上記外部データベースは、ホーム位置レジスタ（ＨＬＲ）である請求項７に記載の方法。
【請求項１０】
上記存在情報は、更に、ユーザの位置情報を含む請求項１に記載の方法。
【請求項１１】
上記存在情報は、更に、ユーザとどの形式の通信が可能であるかに関する情報を含む請求項１に記載の方法。
【請求項１２】
ネットワーク制御装置（Ｓ）が存在情報及びセッション取り扱い情報をユーザ（Ａ）に供給するよう構成され、そして上記存在情報は、ネットワークにおける少なくとも１人の他のユーザ（Ｂ，Ｃ）の存在に関する情報を含み、そして上記セッション取り扱い情報は、他のユーザへと開始できるセッションがいかに取り扱われるかに関する情報を含むようなネットワーク制御装置において、
存在情報及びセッション取り扱い情報を各ユーザへ個々に供給するように構成されたことを特徴とするネットワーク制御装置。
【請求項１３】
上記ネットワーク制御装置は、存在情報及びセッション取り扱い情報を、他のユーザへのセッションを開始する前に供給するように構成された請求項１２に記載のネットワーク制御装置。
【請求項１４】
上記セッション取り扱い情報は、セッションの転送に関する情報を含む請求項１２に記載のネットワーク制御装置。
【請求項１５】
上記セッションはコールであり、そして上記セッション取り扱い情報は、コールの転送に関する情報を含む請求項１２に記載のネットワーク制御装置。
【請求項１６】
存在情報及びセッション取り扱い情報を得るための情報取得手段（Ｗ； Ｗ１）を更に備えた請求項１２に記載のネットワーク制御装置。
【請求項１７】
上記情報取得手段（Ｗ； Ｗ１）は、存在情報及びセッション取り扱い情報を含むデータベース（Ｄｂ； ＨＳＳ）にアクセスするように構成される請求項１６に記載のネットワーク制御装置。
【請求項１８】
上記データベース（Ｄｂ）は、ネットワーク制御装置（Ｓ）に配置される請求項１７に記載のネットワーク制御装置。
【請求項１９】
上記データベースは、外部データベースである請求項１７に記載のネットワーク制御装置。
【請求項２０】
上記データベースは、ホーム加入者サーバー（ＨＳＳ）である請求項１９に記載のネットワーク制御装置。
【請求項２１】
上記データベースは、ホーム位置レジスタ（ＨＬＲ）である請求項１９に記載のネットワーク制御装置。
【請求項２２】
上記存在情報は、更に、ユーザの位置情報を含む請求項１２に記載のネットワーク制御装置。
【請求項２３】
上記存在情報は、更に、ユーザとどの形式の通信が可能であるかに関する情報を含む請求項１２に記載のネットワーク制御装置。
【請求項２４】
請求項１２ないし２３のいずれかに記載のネットワーク制御装置と、存在情報及びセッション取り扱い情報を受信するよう構成された少なくとも１つの通信装置（ＴＡ）とを備えたネットワークシステム。
【国際調査報告】
2004517421.tif 000025
2004517421.tif 000026
2004517421.tif 000027